(57)【要約】【課題】座席等を乳母車用シャーシに取付可能とする取付具、及び取付装置を提供することにある。また、座席等に設けられた取付機構に対応する受け要素を備える乳母車用シャーシを提供する。【解決手段】ハンドルバーのアーム７及び車輪の脚１０が関節接合された乳母車用シャーシに設けられ、座席等の乗車部に設けられた取付機構３を取り付ける取付具２は、前記アーム７及び脚１０の接合部分に設けられ、前記アーム７及び脚１０と係合して自身の回転を制限する回転制限手段を備える。【選択図】図１
2015058931.tif 000002
【特許請求の範囲】
【請求項１】
ハンドルバーのアーム及び車輪の脚が関節接合された乳母車用シャーシに設けられ、乗車部に設けられた取付機構を取り付ける取付具において、
前記アーム及び脚の接合部分に設けられ、
前記アーム及び脚と係合して自身の回転を制限する回転制限手段を備えること
を特徴とする取付具。
【請求項２】
前記アーム及び脚には夫々、ストッパが設けられてあり、
前記回転制限手段は、前記ストッパ夫々と係合するようにしてあること
を特徴とする請求項１に記載の取付具。
【請求項３】
前記取付機構を嵌装可能な箱体を備え、
前記回転制限手段は、前記箱体の一面に形成され、前記ストッパ夫々が各挿通される２つのスロットであること
を特徴とする請求項２に記載の取付具。
【請求項４】
前記２つのスロットは、回転軸の両側に設けられ、湾曲形状をなしてあること
を特徴とする請求項３に記載の取付具。
【請求項５】
前記箱体は、前記取付機構が嵌装可能な開口が上面に形成されていること
を特徴とする請求項３又は４に記載の取付具。
【請求項６】
前記箱体は、嵌装された前記取付機構を保持する突起が内壁に形成されていること
を特徴とする請求項３から５までの何れか一つに記載の取付具。
【請求項７】
請求項１から６までの何れか一つに記載の取付具と、乗車部に設けられた取付機構とを備え、
前記取付具は、前記取付機構を取り付けるようにしてあること
を特徴とする取付装置。
【請求項８】
乳幼児の乗車部の一側及び他側に各設けられた取付機構夫々に対応する受け要素を該当位置に設けてある乳母車用シャーシにおいて、
ハンドルバーのアーム及び後輪の脚に各設けられたストッパと、
前記受け要素を回転可能に接続してある接続シャフトと
を備え、
前記アーム及び脚は、前記接続シャフトの軸回りに回転可能に接続され、
前記受け要素は、箱状をなし、
一面には、前記接続シャフトの接続孔及び前記ストッパを各挿通している２つの湾曲スロットが形成され、
前記２つの湾曲スロットは、前記接続孔の両側に設けられていること
を特徴とする乳母車用シャーシ。
【発明の詳細な説明】
【技術分野】
【０００１】
本発明は、乳母車の座席、キャリコット等に設けられた当該座席、キャリコット等の取付機構に対応する取付具に関する。また、当該取付具を備える取付装置に関する。更に、当該取付機構に対応する受け要素を備える乳母車用シャーシに関する。
【背景技術】
【０００２】
乳母車のシャーシに座席、キャリコット等を取り付けるための取付装置がいくつかある。取付装置は、乳母車のシャーシに設けられた要素の位置を変化させることができる。当該位置は、当該シャーシ上、つまりは乳母車上での位置を表す。
【０００３】
これらの取付装置は、座席等を取り付けるために乳母車のシャーシの一側及び他側に設けられた受け要素を有する。受け要素は箱体を含み、座席等は当該箱体に取り付けられるいくつかの取付手段を有している。
【先行技術文献】
【特許文献】
【０００４】
【特許文献１】特開２００９−１２５８０号公報
【発明の概要】
【発明が解決しようとする課題】
【０００５】
座席等を正確かつ安全に乳母車に取り付けることを確保するために、これらの受け要素が該当位置においてシャーシの特定の部品に固定又は接着される。当該受け要素が固定又は接着されることに起因して、折り畳み型の乳母車の使用に支障をきたしている。
【０００６】
折り畳み型の乳母車において、座席は、折り畳まれることによって背もたれ及び着座面の位置を変化させる必要がある。また、取付装置が該当位置にて固定されていた場合、座席は、当該取付装置の傾きと共に位置を変化させる。
【０００７】
一方、座席を前後両向きに取り付けることができる場合、従来の取付機構は一般的に座席が取り付けられる受け要素と一体となる。このとき受け要素は、各方向から座席を取り付けるために取付機構を嵌装可能なように位置を変化させることができる。
【０００８】
本発明の目的は、座席等を乳母車のシャーシに取付可能とする取付具、及び取付装置を提供することにある。また、座席等に設けられた取付機構に対応する受け要素を備える乳母車用シャーシを提供することにある。当該取付具、取付装置、及び乳母車用シャーシは、乳母車が折り畳まれる場合に、座席が乳母車のシャーシに取り付けられた位置に対して所定角度をなした状態を維持するために、当該座席を制限的に回転可能とする。従って、取付装置に連結された座席の部品の傾斜角を維持することができる。
【課題を解決するための手段】
【０００９】
この目的のために、取付装置は、座席の取付機構及び当該取付機構の受け要素を備える。当該受け要素は、座席又はキャリコット等における各側の取付機構を取り付けるために、乳母車のシャーシにおいて対応する各側に設けられている。
【００１０】
本発明の特徴は、受け要素が取付機構を受ける箱体を含むことである。この箱体は、乳母車のシャーシにおける回転軸を形成する関節の位置に取り付けられ、当該回転軸回りの回転を制限する手段を有している。
【００１１】
当該箱体は、湾曲形状をなした２つのスロットを備える。２つのスロット夫々に挿通する２つのストッパの動きが制限されることによって、当該箱体の回転が制限される。２つのストッパ夫々は、シャーシにおける関節接合された２つの構造部材夫々に接続されることで、当該２つの構造部材に関して箱体の回転を調節する。
【発明の効果】
【００１２】
本発明によれば、乳母車が折り畳まれ、シャーシの２つの構造部材が相対位置を変化させると、当該構造部材の動きに従い、ストッパは受け要素の回転の制限及び回転の案内を行うことができる。受け要素は、特定の角度を維持することで、乳母車の正確な折り畳みのために特定の傾きを要する座席等と一体となることができる。
【００１３】
その他の詳細及び特徴は、添付した図面を参照して以下の実施形態にて示されている。以下の実施形態には、本発明の実際の適用が限定しない例として示されている。
【図面の簡単な説明】
【００１４】
【図１】乳母車のシャーシに配された受け要素と当該受け要素に挿入される取付機構とを示す斜視図である。
【図２】折り畳まれていない乳母車と、当該乳母車のシャーシに配された受け要素と、取付機構の詳細とを示す側面図である。
【図３】部分的に折り畳まれた乳母車と、当該乳母車のシャーシに配された受け要素と、当該受け要素に挿入された取付機構とを示す側面図である。
【図４】完全に折り畳まれた乳母車と、当該乳母車のシャーシに配された受け要素と、当該受け要素に挿入された取付機構とを示す側面図である。
【発明を実施するための形態】
【００１５】
本発明の好適な実施形態において図１〜４に示されるように、座席の取付装置１は、乳母車のシャーシの一側及び他側に配された受け要素２と、当該受け要素２に対応し、座席に取り付けられた取付機構３とを備える。受け要素２は、取付機構３を嵌装する。また、受け要素２は、取付機構の取付具に相当する。
【００１６】
受け要素２夫々は、箱体４を備える。箱体４の上面には、取付機構３を嵌装するための開口１３が形成され、箱体４の内側には、嵌装された取付機構３を保持するためのクロスメンバ５が設けられている。
【００１７】
箱体４は、乳母車のシャーシに取り付けられ、以下に示すシャーシの３箇所と接触している。
・乳母車のハンドルバーのアーム７に設けられ、その軸回りに回転可能に箱体４を接続する接続シャフト６。
・当該ハンドルバーのアーム７に取り付けられ、箱体４を挿通しているストッパ８。
・後輪の脚１０に取り付けられ、箱体４を挿通しているストッパ９。
箱体４には、接続シャフト６が接続される接続孔が一面に設けられている。箱体４は、接続シャフト６に接続されることにより、当該接続シャフト６の軸回りに回転可能に設けられている。
【００１８】
ハンドルバーのアーム７及び後輪の脚１０は、乳母車を折り畳むことができるように関節接合されている。
【００１９】
ここで、乳母車のシャーシの形状の一例を示す。乳母車のシャーシは、例えば逆Ｕ字状のハンドルバーと、ハンドルバーの両端夫々に連接された２本のアーム７とを備える。アーム７夫々の先端部には、前輪が各設けられている。アーム７夫々の中途には、接続部材が各設けられている。接続部材夫々には、一端部に後輪を設けてある脚１０の他端部が接続されている。また、接続部材における乳母車のシャーシの内側には、受け要素２が取り付けられている。このような乳母車のシャーシには、座席が着脱自在に取り付けられる。座席は、一側及び他側に各設けられた後述の取付機構３（図２参照）が、受け要素２に嵌装されることによって、乳母車のシャーシに取り付けられる。なお、以上の乳母車のシャーシの形状及び受け要素２の取付位置は、一例であり限定を意図しない。例えば、乳母車のハンドルバーは各アーム７に連接された２本の棒状部材から構成されていてもよい。また例えば、受け要素２は、乳母車のシャーシの外側に取り付けられていてもよい。
【００２０】
またここで、アーム７及び脚１０の関節接合について一例を示す。例えば、脚１０の他端側には、ストッパ９がシャーシの内側に向けて突設されている。また、脚１０の他端には、凸部が設けられている。凸部には、ストッパ９の突出方向を軸方向とする貫通孔が形成されている。また例えば、円筒状をなし、周面に張出部が延設されている接続部材がアーム７に固定されている。張出部には、接続シャフト６及びストッパ９が並設されている。接続シャフト６及びストッパ９は、互いに円筒形状をなし、軸方向が平行となるように設けられ、接続シャフト６の方がストッパ９よりも延設端側に設けられている。また、張出部の延設端には脚１０の凸部が嵌入可能な溝が設けられている。このように構成された接続部材は、接続シャフト６及びストッパ９が乳母車のシャーシの内側を向くようにアーム７に挿通固定されている。即ち、アーム７は接続部材と一体となることにより、接続シャフト６及びストッパ８を設けてある。脚１０の凸部は、接続部材の張出部に形成された溝に嵌入されている。自身に形成された貫通孔の軸心及び接続シャフト６の軸心が略一致するように、当該凸部が溝に保持されることにより、アーム７及び脚１０は当該軸心を回転可能に関節接合される。当該凸部を張出部の溝に保持する手段は、螺子止め等の各種の方法を用いることができる。
【００２１】
なお、以上で説明したアーム７及び脚１０の関節接合に係る構成については、一例であり、限定を意図しない。例えば、アーム７が周面の一部が張り出した張出部を備え、当該張出部に接続シャフト６及びストッパ８が突設されていてもよく、アーム７及び脚１０が、当該接続シャフト６を介して接続することにより関節接合されていてもよい。
【００２２】
箱体４は、接続シャフト６が接続孔に挿通され、ストッパ８及び９が後述の湾曲スロット１１、１１’に挿通されることにより、乳母車のシャーシに取り付けられている。
【００２３】
関節接合されたアーム７及び脚１０間で相対運動を可能とするために、箱体４は湾曲スロット１１、１１’を有している。湾曲スロット１１、１１’は、箱体４の回転を制限する手段であり、当該一面における接続孔の両側に形成されている。湾曲スロット１１には、ストッパ８が挿通され、湾曲スロット１１’にはストッパ９が挿通されている。その結果、シャーシの折り畳み動作中に、湾曲スロット１１又は１１’に沿ったストッパ８又は９の一方の動きが終了すると、ストッパ８又は９の他方が対応する湾曲スロット１１又は１１’に沿って動作可能となる。実際にはこのようにして、シャーシの折り畳み動作中に箱体４の水平が維持される。
【００２４】
従って、受け要素２に取付機構３が取り付けられることによって座席が取り付けられ、乳母車の折り畳みが開始された場合、取付装置１は乳母車が折り畳まれる全過程に亘り、水平角を維持する。つまり、乳母車の正しい折り畳みのために、取付装置１は水平角が維持されることが必要である。結果として座席の正しい折り畳みを可能とする。
【００２５】
以上の取付機構３は、所謂「ＩＳＯＦＩＸ」型のものであり、座席の前向き又は後向き夫々に適合する２つの対称な保持体１２を備える。取付機構３は座席の前向き又は後向きに対応する方向の何れかから、該当位置に配された受け要素２に嵌装される。箱体４は単一のクロスメンバ５を有し、取付機構３が受け要素２に嵌装される方向によって、保持体１２との係合位置が異なる。また、保持体１２は、クロスメンバ５と係合することで、取付機構３を保持する。
【００２６】
ここで、保持体１２の一例を示す。２つの保持体１２は、例えばコの字又はＵ字形状をなし、一方の凹部に他方の一端部が対応するように向き合わせている。このような２つの保持体１２においては、取付機構３が受け要素２に嵌装される方向によって、保持体１２との係合位置が異なる。なお、以上の保持体１２は一例であり、限定を意図しない。
【００２７】
添付の図面に対応させて本発明を十分に記述させているので、後述の請求項にて要約された本発明の本質を変更しない限り、必要とみなされたいかなる種類の変更も導入され得ることは容易に理解される。
【符号の説明】
【００２８】
１  取付装置
２  受け要素（取付具）
３  取付機構
４  箱体
５  クロスメンバ
６  接続シャフト
７  アーム
８，９  ストッパ
１０  脚
１１，１１’  湾曲スロット
１２  保持体
１３  開口
【図１】
2015058931.tif 000003
【図２】
2015058931.tif 000004
【図３】
2015058931.tif 000005
【図４】
2015058931.tif 000006